(57)【要約】【課題】  引戸の遮断機能を向上させることができるようにするとともに、あたかも一重の戸のように見せつつ二重にして面白みを創出できるようにする。【解決手段】  開口に開閉可能に設けてなる引戸Ｄを、引戸Ｄの開閉方向（Ｒａ，Ｒｂ）に夫々開閉可能に分割して構成される一方戸１０及び他方戸２０の組で構成し、一方戸１０及び他方戸２０のいずれか一方を開く際若しくは閉める際、いずれか他方を同動可能にする連係機構３０を設けた。【選択図】  図１
2006342630.tif 000002
【特許請求の範囲】
【請求項１】
開口に引戸を開閉可能に設けてなる引戸構造において、
上記引戸を、該引戸の開閉方向に夫々開閉可能に分割して構成される一方戸及び他方戸の組で構成したことを特徴とする引戸構造。
【請求項２】
上記開口に上記一方戸及び他方戸を開閉移動可能に保持する敷居及び鴨居を形成したことを特徴とする請求項１記載の引戸構造。
【請求項３】
上記敷居及び鴨居を、夫々、上記一方戸及び他方戸が互いに重なり合って共に保持される一条の溝で形成したことを特徴とする請求項２記載の引戸構造。
【請求項４】
上記一方戸を開閉移動可能に保持する敷居及び鴨居の組と、上記他方戸を開閉移動可能に保持する敷居及び鴨居の組とを、夫々別々に設けたことを特徴とする請求項２記載の引戸構造。
【請求項５】
上記一方戸及び他方戸のいずれか一方を開く際若しくは閉める際、いずれか他方を同動可能にする連係機構を設けたことを特徴とする請求項１，２，３または４記載の引戸構造。
【請求項６】
上記連係機構を、上記一方戸及び他方戸が開いている状態で、該一方戸を閉めるとき該一方戸が上記他方戸に連係して該他方戸を同動させて閉めるようにするとともに、上記一方戸及び他方戸が閉まっている状態で、該一方戸を開くとき上記他方戸との連係を解除して該一方戸のみ開くようにする構成にしたことを特徴とする請求項５記載の引戸構造。
【請求項７】
上記連係機構を、上記一方戸の閉方向後端部から突設され上記他方戸の閉方向後端部に当接する突出片を備えて構成したことを特徴とする請求項６記載の引戸構造。
【請求項８】
上記連係機構を、上記他方戸の開方向後端部から突設され上記一方戸の開方向後端部に当接する突出片を備えて構成したことを特徴とする請求項６記載の引戸構造。
【請求項９】
上記連係機構を、上記一方戸及び他方戸が閉まっている状態で、該一方戸を開くとき該一方戸が上記他方戸に連係して該他方戸を同動させて開くようにするとともに、上記一方戸及び他方戸が開いている状態で、該一方戸を閉めるとき上記他方戸との連係を解除して該一方戸のみ閉まるようにする構成にしたことを特徴とする請求項５記載の引戸構造。
【請求項１０】
上記連係機構を、上記一方戸の開方向後端部から突設され上記他方戸の開方向後端部に当接する突出片を備えて構成したことを特徴とする請求項９記載の引戸構造。
【請求項１１】
上記連係機構を、上記他方戸の開方向前端部から突設され上記一方戸の開方向前端部に当接する突出片を備えて構成したことを特徴とする請求項１０記載の引戸構造。
【請求項１２】
上記開口が収納庫に設けられ、上記引戸の一方戸が該収納庫の外側に位置し上記他方戸が内側に位置する際、上記一方戸及び他方戸を備えた引戸を、閉時に互いに開方向後端部を接合させるように一対設け、上記一対の他方戸における開方向後端部同士をロックする錠装置を設け、上記一対の一方戸における開方向後端部及び上記一対の他方戸における開方向後端部の少なくともいずれか一方に、上記錠装置の外部に露出する露出部位を収容する凹所を形成したことを特徴とする請求項１，２，３，４，５，６，７記載の引戸構造。
【請求項１３】
上記開口が収納庫に設けられ、上記引戸の一方戸が該収納庫の外側に位置し上記他方戸が内側に位置する際、上記他方戸に、貫通する複数の貫通孔を有した格子を設けたことを特徴とする請求項１乃至１２いずれかに記載の引戸構造。
【請求項１４】
上記一方戸及び他方戸の互いに対面する面の少なくともいずれか一方に、模様を付したことを特徴とする請求項１乃至１３いずれかに記載の引戸構造。
【請求項１５】
上記一方戸及び他方戸の少なくともいずれか一方に、窓枠を形成し、該窓枠にガラスを嵌合したことを特徴とする請求項１乃至１４いずれかに記載の引戸構造。
【請求項１６】
上記一方戸及び他方戸の両方に、窓枠を形成し、上記一方戸及び他方戸のいずれか一方の窓枠にガラスを嵌合し、上記一方戸及び他方戸のいずれか他方の窓枠に障子を設けたことを特徴とする請求項１乃至１４いずれかに記載の引戸構造。
【請求項１７】
上記一方戸及び他方戸の両方に、窓枠を形成し、上記一方戸及び他方戸のいずれか一方の窓枠に透明ガラスを嵌合し、上記一方戸及び他方戸のいずれか他方の窓枠に曇りガラスを嵌合したことを特徴とする請求項１乃至１４いずれかに記載の引戸構造。
【発明の詳細な説明】
【技術分野】
【０００１】
本発明は、種々の構造物等において、開口に引戸を開閉可能に設けてなる引戸構造に関する。
【背景技術】
【０００２】
従来、例えば、構造物の引戸構造として、石製の墓を例に挙げて説明すると、図１４に示すように、石製の墓本体１００と、墓本体１００の前に設けられ前側に開放する開口１０２を有し香炉等の物を入れる物の収納空間Ｓが形成される石製の収納庫１０１とを備えたものがある。収納庫１０１には、収納空間Ｓの開口１０２を開閉する左右対称の一対の引戸１０３が設けられている。引戸１０３には、その中央が格子状に形成され収納空間Ｓと外部とを連通する複数の貫通孔１０４が設けられている（例えば、特開平１１−１２５０３０号公報参照）。
【０００３】
この墓においては、通常は、収納庫１０１の収納空間Ｓに、香炉，ローソクや線香等の物を収納し、引戸１０３を閉めておく。そして、墓参するときは、例えば、収納庫１０１の上や花立１０５に花や供物等を供えるとともに、収納庫１０１の引戸１０３を開け、収納空間Ｓから必要なものを取り出し、更に、収納空間Ｓ内の香炉において線香を焚き、引戸１０３を開けたままでも良いが、主には引戸１０３を閉めた状態にする。これにより、線香の煙が収納庫の収納空間Ｓから引戸１０３の格子の貫通孔１０４を通って外部に流れていき、墓本体１００の周囲に線香の煙が漂う中で供養が行なわれる。
【０００４】
【特許文献１】特開平１１−１２５０３０号公報
【発明の開示】
【発明が解決しようとする課題】
【０００５】
ところで、上述した従来の引戸構造にあっては、引戸１０３は一重でこれに格子が設けられているので、例えば、墓参をしない通常時において、収納庫１０１の引戸１０３を閉めた状態にしても、引戸１０３の貫通孔１０４を通して収納空間Ｓと外部が連通状態になり、そのため、例えば、ゴミが入り込んだり、蜂などの昆虫が入り込んで内部を汚してしまい、引戸の遮断機能が必ずしも十分ではないという問題があった。特に、蜂の場合には収納空間Ｓ内に巣を作ることがしばしばあり、その場合には、墓参するときに危険を生じさせる。
また、引戸１０３に格子が設けられてはいるが、一重なので、引戸１０３を開けると、すぐに収納空間Ｓが現れ、単調で面白みにかけるという欠点もあった。
【０００６】
本発明は上記の問題点に鑑みて為されたもので、引戸の遮断機能を向上させることができるようにするとともに、あたかも一重の戸のように見せつつ二重にして面白みを創出できるようにした引戸構造を提供することを目的とする。
【課題を解決するための手段】
【０００７】
このような目的を達成するため本発明は、開口に引戸を開閉可能に設けてなる引戸構造において、上記引戸を、該引戸の開閉方向に夫々開閉可能に分割して構成される一方戸及び他方戸の組で構成している。
これにより、例えば、一方戸側から引戸を開閉するときは、先ず、一方戸を開ける。これにより、他方戸が現れるので、面白みが創出される。次に、他方戸を開ける。
また、一方戸及び他方戸が閉められた状態においては、一方戸及び他方戸により開口は二重に遮断されるので、遮断機能が向上させられる。更に、一方戸及び他方戸が閉められた状態においては、一方戸及び他方戸は引戸を分割した形状に形成されているので、一方戸により他方戸が覆い隠され、あたかも一重の戸のように見え、この点でも、面白みが創出される。
【０００８】
そして、必要に応じ、上記開口に上記一方戸及び他方戸を開閉移動可能に保持する敷居及び鴨居を形成した構成としている。一方戸及び他方戸が敷居及び鴨居にガイドされるので、開閉が円滑に行なわれ、保持も確実になる。
この場合、上記敷居及び鴨居を、夫々、上記一方戸及び他方戸が互いに重なり合って共に保持される一条の溝で形成したことが有効である。敷居及び鴨居は、一条の溝で形成されているので、加工が容易であり、製造コストが低減される。
また、この場合、上記一方戸を開閉移動可能に保持する敷居及び鴨居の組と、上記他方戸を開閉移動可能に保持する敷居及び鴨居の組とを、夫々別々に設けたことが有効である。一方戸及び他方戸が各々別々の敷居及び鴨居の組で保持されるので、開閉が円滑に行なわれ、保持も確実になる。
【０００９】
また、必要に応じ、上記一方戸及び他方戸のいずれか一方を開く際若しくは閉める際、いずれか他方を同動可能にする連係機構を設けた構成としている。これにより、引戸を開く際若しくは閉める際、連係機構により一方戸及び他方戸を同動させることができ、一方戸及び他方戸を別々に移動させなくてもよくなり、それだけ、操作性が向上させられる。
【００１０】
この場合、必要に応じ、上記連係機構を、上記一方戸及び他方戸が開いている状態で、該一方戸を閉めるとき該一方戸が上記他方戸に連係して該他方戸を同動させて閉めるようにするとともに、上記一方戸及び他方戸が閉まっている状態で、該一方戸を開くとき上記他方戸との連係を解除して該一方戸のみ開くようにする構成にしている。
具体的な態様を、図１に示すように、引戸が所謂観音開きタイプの場合と、図２に示すように、引戸が互いに干渉することなくすれ違いに開閉できるタイプの場合とで示すと以下のようになる。
即ち、図１（ａ）及び図２（ａ）に示すように、必要に応じ、上記連係機構３０を、上記一方戸１０の閉方向後端部（開方向前端部）１０ｂから突設され上記他方戸２０の閉方向後端部（開方向前端部）２０ｂに当接する突出片３１を備えて構成している。
また、図１（ｂ）及び図２（ｂ）に示すように、必要に応じ、上記連係機構３０を、上記他方戸２０の開方向後端部（閉方向前端部）２０ａから突設され上記一方戸１０の開方向後端部（閉方向前端部）１０ｂに当接する突出片３１を備えて構成している。
【００１１】
また、上記の場合、必要に応じ、上記連係機構を、上記一方戸及び他方戸が閉まっている状態で、該一方戸を開くとき該一方戸が上記他方戸に連係して該他方戸を同動させて開くようにするとともに、上記一方戸及び他方戸が開いている状態で、該一方戸を閉めるとき上記他方戸との連係を解除して該一方戸のみ閉まるようにする構成にしている。
具体的な態様を、図１に示すように、引戸が所謂観音開きタイプの場合と、図２に示すように、引戸が互いに干渉することなくすれ違いに開閉できるタイプの場合とで示すと以下のようになる。
即ち、図１（ｃ）及び図２（ｃ）に示すように、必要に応じ、上記連係機構３０を、上記一方戸１０の開方向後端部（閉方向前端部）１０ａから突設され上記他方戸２０の開方向後端部（閉方向前端部）２０ａに当接する突出片３１を備えて構成している。
また、図１（ｄ）及び図２（ｄ）に示すように、必要に応じ、上記連係機構３０を、上記他方戸２０の開方向前端部（閉方向後端部）２０ｂから突設され上記一方戸１０の開方向前端部（閉方向後端部）１０ｂに当接する突出片を備えて構成している。
【００１２】
そしてまた、必要に応じ、上記開口が収納庫に設けられ、上記引戸の一方戸が該収納庫の外側に位置し上記他方戸が内側に位置する際、上記一方戸及び他方戸を備えた引戸を、閉時に互いに開方向後端部を接合させるように一対設け、上記一対の他方戸における開方向後端部同士をロックする錠装置を設け、上記一対の一方戸における開方向後端部及び上記一対の他方戸における開方向後端部の少なくともいずれか一方に、上記錠装置の外部に露出する露出部位を収容する凹所を形成した構成としている。
これにより、他方戸は錠装置で施錠されるので、防盗性が向上させられ安全が図られる。また、錠装置は、凹所に収容されて一方戸により覆われて隠されるので、外観品質が向上させられる。他の作用，効果は上記と同様である。
【００１３】
また、必要に応じ、上記開口が収納庫に設けられ、上記引戸の一方戸が該収納庫の外側に位置し上記他方戸が内側に位置する際、上記他方戸に、貫通する複数の貫通孔を有した格子を設けた構成としている。収納庫の開口は一方戸及び他方戸で遮断され、他方戸の貫通孔が外部と連通しないようになるので、この貫通孔から収納空間に、ゴミや昆虫などが侵入する事態が阻止され、収納空間内の汚れの防止が図られる。
【００１４】
更に、必要に応じ、上記一方戸及び他方戸の互いに対面する面の少なくともいずれか一方に、模様を付した構成としている。一方戸及び他方戸のいずれか一方が開けられ、他方が閉められた状態では、模様が開口から露出するので、見栄えが良く、面白みが創出される。
【００１５】
更にまた、必要に応じ、上記一方戸及び他方戸の少なくともいずれか一方に、窓枠を形成し、該窓枠にガラスを嵌合した構成としている。一方戸及び他方戸のいずれか一方が開けられ、他方が閉められた状態では、ガラスが開口から露出するので、見栄えが良く、面白みが創出される。
【００１６】
また、必要に応じ、上記一方戸及び他方戸の両方に、窓枠を形成し、上記一方戸及び他方戸のいずれか一方の窓枠にガラスを嵌合し、上記一方戸及び他方戸のいずれか他方の窓枠に障子を設けた構成としている。一方戸及び他方戸のいずれか一方が開けられ、他方が閉められた状態では、開口に、ガラス及び／または障子が現れるので、面白みが創出される。
【００１７】
更に、必要に応じ、上記一方戸及び他方戸の両方に、窓枠を形成し、上記一方戸及び他方戸のいずれか一方の窓枠に透明ガラスを嵌合し、上記一方戸及び他方戸のいずれか他方の窓枠に曇りガラスを嵌合した構成としている。一方戸及び他方戸のいずれか一方が開けられ、他方が閉められた状態では、透明ガラス及び／または曇りガラスが現れるので、面白みが創出される。
【発明の効果】
【００１８】
本発明の引戸構造によれば、一方戸及び他方戸のいずれか一方が開けられると、他方が現れるので、面白みを創出することができる。また、一方戸及び他方戸が閉められた状態においては、一方戸及び他方戸により開口は二重に遮断されるので、遮断機能を向上させることができる。更に、一方戸及び他方戸が閉められた状態においては、一方戸及び他方戸は引戸を分割した形状に形成されているので、一方戸により他方戸が覆い隠され、あたかも一重の戸のように見え、この点でも、面白みを創出することができる。
【発明を実施するための最良の形態】
【００１９】
以下、本発明の実施の形態に係る引戸構造について詳細に説明する。
図３乃至図６には、本発明の第一の実施の形態に係る引戸構造を示している。この引戸構造は、構造物として石製の墓に適用される例である。
この墓は、図３に示すように、石製の墓本体１と、墓本体１の下側に設けられ骨を入れる石製あるいはコンクリート製の骨堂２を備えている。墓本体１の前であって骨堂２の上部を構成する台板３上には、前側に開放する開口４を有した香炉等の物の収納空間Ｓが形成されるとともに供物等の物を載置可能な石製の収納庫５が設けられている。
【００２０】
収納庫５は、骨堂２の上部を構成する台板３に支持された底板６、底板６の左右に立設される矩形ブロック状の支柱７、支柱７に架設される天板８及び背面壁９を備えて構成されている。背面壁９は、墓本体１を構成する石で構成されている。尚、背面壁９は、墓本体１とは別の石板で構成されても良い。これにより、上記の収納空間Ｓは、底板６，支柱７，天板８及び背面壁９で囲繞される空間で構成される。図３中符号３ａは、収納庫５の左右に設置される花立である。尚、花立は、支柱７で構成されても良い。
【００２１】
実施の形態に係る引戸構造は、図３乃至図６に示すように、開口４に矩形板状の石製の引戸Ｄを開閉可能に設けてなる。詳しくは、収納庫５の収納空間Ｓの開口４に、開方向Ｒａ及び閉方向Ｒｂに開閉する所謂観音開きタイプの一対の引戸Ｄが設けて構成されている。この引戸Ｄは、引戸Ｄの開閉方向に夫々開閉可能に分割して構成される一方戸１０及び他方戸２０の組で構成され、一方戸１０の裏面と他方戸２０の表面とは摺接可能に形成されている。このため、一方戸１０及び他方戸２０は、夫々、一対ずつ設けられることになる。
【００２２】
一対の一方戸１０は互いに左右対称形に形成されており、互いに対向する開方向Ｒａの開方向後端部（閉方向前端部）１０ａを当接させて開口４を閉じ、左右に互いに離間して移動させられて開口４を開ける。対向する開方向後端部（閉方向前端部）１０ａには、前側から凹設され手が掛けられる手掛１１が形成されている。また、一方戸１０の表面には、刻設あるいは絵の具などの手段で模様１２が付されている。
【００２３】
また、この一方戸１０の内側に位置する一対の他方戸２０は、互いに左右対称形に形成されており、互いに対向する開方向Ｒａの開方向後端部（閉方向前端部）２０ａを当接させて開口４を閉じ、左右に互いに離間して移動させられて開口４を開ける。他方戸２０の中央には、図３及び図５に示すように、格子状の窓部２１が設けられており、これにより、他方戸２０には、収納空間Ｓと外部とを連通する複数の矩形の貫通孔２２が形成されている。
【００２４】
更に、収納庫５の開口４には、一方戸１０及び他方戸２０を開閉移動可能に保持する敷居２３及び鴨居２４が形成されている。敷居２３及び鴨居２４は、夫々、一方戸１０及び他方戸２０が互いに重なり合って共に保持される一条の溝で形成されている。即ち、底板６及び天板８の前側は支柱７の前面よりも前側に突出しており、敷居２３の溝は、底板６の前側に突出した部位に形成されているとともに、鴨居２４の溝は天板８の前側に突出した部位に形成されている。この場合、敷居２３及び鴨居２４は、一条の溝で形成されているので、加工が容易であり、製造コストが低減される。
【００２５】
更にまた、一方戸１０と他方戸２０とのいずれか一方を開く際若しくは閉める際、いずれか他方を同動させる連係機構３０が設けられている。連係機構３０は、一方戸１０及び他方戸２０が開いている状態（図６）で、一方戸１０を閉めるときこの一方戸１０が他方戸２０に連係して、他方戸２０を同動させて閉めるようにするとともに、一方戸１０及び他方戸２０が閉まっている状態（図４）で、一方戸１０を開くとき他方戸２０との連係を解除して、一方戸１０のみ開く（図５）ようにするものである。具体的には、連係機構３０は、一方戸１０の閉方向後端部（開方向前端部）１０ｂから突設され、他方戸２０の閉方向後端部（開方向前端部）２０ｂに当接する突出片３１で構成されている。連係機構３０を突出片３１で構成しているので、加工が容易になり製造コストが低減される。
【００２６】
従って、この第一の実施の形態に係る引戸構造が適用された墓によれば、墓参しない通常時において、収納庫５に香炉，ローソクや線香等の物を収納しておくことができる。この際には、図３及び図５に示すように、先ず、一方戸１０を開ける。これにより、他方戸２０が現れる。そのため、すぐに収納空間Ｓが現れるのではなく、格子のある他方戸２０が現れるので、面白みが創出される。
次に、図６に示すように、他方戸２０を開ける。これにより、収納空間Ｓが現れる。そして、開口４から収納空間Ｓに香炉，ローソクや線香等の物を収納し、図４に示すように、一方戸１０及び他方戸２０を閉方向Ｒｂに閉める。この場合、一方戸１０及び他方戸２０が敷居２３及び鴨居２４にガイドされるので、開閉が円滑に行なわれ、保持も確実になる。
【００２７】
また、この場合、図４に示すように、連係機構３０の突出片３１が他方戸２０の閉方向後端部２０ｂに当接しているので、他方戸２０を押すことになり、この一方戸１０が他方戸２０に連係して他方戸２０を同動させて閉める。そのため、一方戸１０及び他方戸２０を別々に閉めなくても同時に閉めることができるので操作性が向上させられる。一方戸１０及び他方戸２０を開けるときは、一方戸１０及び他方戸２０を夫々開方向Ｒａに押す。
【００２８】
墓参しない通常時において、図４に示すように、一方戸１０及び他方戸２０が閉められた状態においては、収納庫５の開口４は一方戸１０で遮断され、他方戸２０の格子の貫通孔２２が外部と連通しないようになるので、他方戸２０に貫通孔２２があっても、この貫通孔２２から収納空間Ｓに、ゴミや昆虫などが侵入する事態が阻止され、収納空間Ｓ内の汚れの防止が図られる。特に、蜂の侵入が阻止されるので、蜂が収納空間Ｓ内に巣を作ることが防止され、そのため、墓参時の安全が図られる。また、図４に示すように、一方戸１０には模様が付されているので、面白みが創出される。しかも、一方戸１０により他方戸２０が密着して覆い隠されるので、あたかも一重の戸のように見え、この点でも、面白みが創出される。
【００２９】
そして、墓参するときは、例えば、収納庫５の上や花立に花や供物等を供えるとともに、図６に示すように、収納庫５の一方戸１０及び他方戸２０を開け、収納空間Ｓから必要なものを取り出す。この際には、図３及び図５に示すように、先ず、一方戸１０を開ける。これにより、他方戸２０が現れる。そのため、すぐに収納空間Ｓが現れるのではなく、格子のある他方戸２０が現れるので、面白みが創出される。次に、図６に示すように、他方戸２０を開ける。
【００３０】
それから、収納空間Ｓ内の香炉において線香を焚き、他方戸２０を開けたままでも良いが、図３及び図５に示すように、主には他方戸２０を閉めた状態にする。この場合、他方戸２０を閉めても、連係機構３０の突出片３１が他方戸２０の閉方向後端部２０ｂに当接しているので、他方戸２０との連係が解除され、そのため、他方戸２０のみ閉まり、一方戸１０は開いたままになる。そのため、線香の煙が収納庫５の収納空間Ｓから他方戸２０の格子の貫通孔２２を通って外部に流れていき、墓本体１の周囲に線香の煙が漂う中で供養が行なわれる。
次に、墓参が終ったならば、再び、図６に示すように、他方戸２０を開けて、開口４から収納空間Ｓに香炉，ローソクや線香等の物を収納し、図４に示すように、再び、一方戸１０及び他方戸２０を閉める。
【００３１】
図７には、本発明の第一の実施の形態に係る引戸構造において、敷居２３及び鴨居２４の別の例を示している。これは、一方戸１０を開閉移動可能に保持する敷居２３及び鴨居２４の組と、他方戸２０を開閉移動可能に保持する敷居２３及び鴨居２４の組とを、夫々別々に設けたものである。一方戸１０及び他方戸２０が各々別々の敷居２３及び鴨居２４の組で保持されるので、開閉が円滑に行なわれ、保持も確実になる。
【００３２】
図８及び図９には、本発明の第二の実施の形態に係る引戸構造を示している。この引戸構造は、上記と同様の墓に適用され、上記第一の実施の形態に係る引戸構造と略同様に構成されるが、上記第一の実施の形態に係る引戸構造と異なって、一方戸１０の表面には、模様として、略矩形の板状の突出部１３が突設されている。一方、他方戸２０は、格子状の窓２１は備えておらず、中実になっている。また、一対の他方戸２０には、この一対の他方戸２０の開方向後端部２０ａ同士をロックする錠装置４０が設けられている。更に、一対の一方戸１０における開方向後端部１０ａ及び一対の他方戸２０における開方向後端部２０ａの少なくともいずれか一方（実施の形態では一対の他方戸２０における開方向後端部２０ａ）に錠装置４０の外部に露出する露出部位４１を収容する凹所４２が形成されている。錠装置４０は、一対の他方戸２０の開方向後端部２０ａにおいて、端面と表面側に貫通し一対の他方戸２０の開方向後端部２０ａの接合時に互いに連通する一対の貫通孔４３と、この一対の貫通孔４３に引き通されるチェーン４４と、引き通されたチェーン４４のリング状のコマに挿通され差し込んだキー（図示せず）で開閉するロッド４５ａを有した錠前４５とを備えて構成されている。凹所４２は、一対の他方戸２０における開方向後端部２０ａの表面側に形成され、露出したチェーン４４及び錠前４５を収納する。
【００３３】
そして、この錠装置４０においては、錠前４５にキーを差し込んでこのキーの操作によりロッド４５ａを開にしてロッド４５ａをチェーン４４から外し、その後、チェーン４４を貫通孔４３から引き抜いて解錠する一方、チェーン４４を貫通孔４３に引き通し、その後、錠前４５のロッド４５ａをチェーン４４のコマに挿通して錠前４５にキーを差し込んでこのキーの操作によりロッド４５ａを閉にして施錠するようにしている。
【００３４】
従って、この第二の実施の形態に係る引戸構造が適用された墓によれば、墓参しない通常時において、収納庫５に香炉，ローソクや線香等の物を収納しておくことができる。この際には、図８に示すように、先ず、一方戸１０を開ける。これにより、他方戸２０が現れる。そのため、すぐに収納空間Ｓが現れるのではなく、錠装置４０のある他方戸２０が現れるので、面白みが創出される。
次に、他方戸２０の錠装置４０を解錠してこれを開ける。これにより、収納空間Ｓが現れる。そして、開口４から収納空間Ｓに香炉，ローソクや線香等の物を収納し、再び、他方戸２０を閉め、錠装置４０を施錠し、一方戸１０を閉める。
【００３５】
墓参しない通常時において、一方戸１０及び他方戸２０が閉められた状態においては、収納庫５の開口４は一方戸１０及び他方戸２０で遮断され、外部と連通しないようになるので、収納空間Ｓに、ゴミや昆虫などが侵入する事態が阻止され、収納空間Ｓ内の汚れの防止が図られる。特に、他方戸２０は錠装置４０で施錠されるので、防盗性が向上させられ安全が図られる。また、錠装置４０は、一方戸１０により覆われて隠されるので、外観品質も向上させられる。更に、一方戸１０には模様としての突出部１３が付され、しかも、一方戸１０により他方戸２０が密着して覆い隠されるので、あたかも一重の戸のように見え、この点でも、面白みが創出される。
【００３６】
そして、墓参するときは、例えば、収納庫５の一方戸１０及び他方戸２０を開け、収納空間Ｓから必要なものを取り出し、収納庫５の上や花立に花や供物等を供えるとともに、ろうそくや線香に火をつけて行なう。この、収納庫５の一方戸１０及び他方戸２０を開ける際には、上記と同様に、先ず、一方戸１０を開ける。これにより、他方戸２０が現れる。そのため、すぐに収納空間Ｓが現れるのではなく、錠装置４０のある他方戸２０が現れるので、面白みが創出される。
次に、墓参が終ったならば、再び、他方戸２０を開けて、開口４から収納空間Ｓに香炉，ローソクや線香等の物を収納し、錠装置４０を施錠して、再び、一方戸１０を閉める。
【００３７】
図１０及び図１１には、本発明の第三の実施の形態に係る引戸構造を示している。この引戸構造は、構造物としての住宅に用いられる例である。
実施の形態に係る引戸構造は、開口（図示せず）に矩形板状の引戸Ｄを開閉可能に設けてなる。詳しくは、開口に、開方向Ｒａ及び閉方向Ｒｂに開閉する互いに干渉することなくすれ違いに開閉できるタイプの一対の引戸Ｄが設けて構成されている。この引戸Ｄは、その本体が木，アルミニウムなどの金属等適宜の材料で形成されており、引戸Ｄの開閉方向に夫々開閉可能に分割して構成される一方戸１０及び他方戸２０の組で構成され、一方戸１０の裏面と他方戸２０の表面とは摺接可能に形成されている。このため、一方戸１０及び他方戸２０は、夫々、一対ずつ設けられることになる。
【００３８】
一対の一方戸１０は互いに左右対称形に形成されており、開方向後端部１０ａには、前側から凹設され手が掛けられる手掛１１が形成されている。また、一方戸１０は、障子戸になっており、格子状の桟５０に障子紙５１を貼付して構成されている。
また、この一方戸１０の内側に位置する一対の他方戸２０は、互いに左右対称形に形成されており、開方向後端部２０ａには、前側から凹設され手が掛けられる手掛５２が形成されている。また、他方戸２０はガラス戸になっており、窓枠５３に透明ガラス５４が嵌合して設けられている。
【００３９】
また、一方戸１０と他方戸２０とのいずれか一方を開く際若しくは閉める際、いずれか他方を同動させる連係機構３０が設けられている。連係機構３０は、一方戸１０及び他方戸２０が開いている状態で、一方戸１０を閉めるときこの一方戸１０が他方戸２０に連係して、他方戸２０を同動させて閉めるようにするとともに、一方戸１０及び他方戸２０が閉まっている状態（図１０）で、一方戸１０を開くとき他方戸２０との連係を解除して、一方戸１０のみ開く（図１１）ようにするものである。具体的には、連係機構３０は、一方戸１０の閉方向後端部（開方向前端部）１０ｂから突設され、他方戸２０の閉方向後端部（開方向前端部）２０ｂに当接する突出片３１で構成されている。連係機構３０を突出片３１で構成しているので、加工が容易になり製造コストが低減される。
【００４０】
従って、この第三の実施の形態に係る引戸構造によれば、引戸Ｄを開閉して、例えば、一方戸１０側から他方戸２０側へ出入りするときは、先ず、図１１に示すように、障子戸で構成される一方戸１０を開ける。これにより、ガラス戸で構成される他方戸２０が現れるので、面白みが創出される。次に、他方戸２０を開ける。
一方、他方戸２０側から一方戸１０側へ出入りするときは、ガラス戸で構成される他方戸２０を開ける。この場合、一方戸１０が閉まった状態であれば、他方戸２０を開ければ、一方戸１０に突出片３１が設けられているので、一方戸１０を同動して開けることができる。
【００４１】
また、図１０に示すように、一方戸１０及び他方戸２０が閉められた状態においては、一方戸１０及び他方戸２０により開口は二重に遮断されるので、遮断機能が向上させられる。更に、一方戸１０及び他方戸２０が閉められた状態においては、一方戸１０により他方戸２０が密着して覆い隠されるので、あたかも一重の戸のように見え、この点でも、面白みが創出される。
尚、他方戸２０のみを閉めた状態にしておいても良い。この場合、図１１に示すように、ガラス戸なので、内から外をすかしてみることができる。
【００４２】
図１２及び図１３には、本発明の第四の実施の形態に係る引戸構造を示している。この引戸構造は、構造物としての住宅に用いられる例である。
実施の形態に係る引戸構造は、開口（図示せず）に矩形板状の引戸Ｄを開閉可能に設けてなる。詳しくは、開口に、開方向Ｒａ及び閉方向Ｒｂに開閉する互いに干渉することなくすれ違いに開閉できるタイプの一対の引戸Ｄ（Ａ），Ｄ（Ｂ）が設けて構成されている。この引戸Ｄ（Ａ），Ｄ（Ｂ）は、その本体が木，アルミニウムなどの金属等適宜の材料で形成されている。一方の引戸Ｄ（Ａ）は、引戸Ｄ（Ａ）の開閉方向に夫々開閉可能に分割して構成される一方戸１０及び他方戸２０の組で構成され、一方戸１０の裏面と他方戸２０の表面とは摺接可能に形成されている。
【００４３】
一方戸１０の開方向後端部１０ａには、前側から凹設され手が掛けられる手掛１１が形成されている。また、一方戸１０は、ガラス戸になっており、窓枠６０に曇りガラス６１が嵌合して設けられている。
また、この一方戸１０の内側に位置する他方戸２０の開方向後端部２０ａにおいて、後述の突出片３１には、前側から凹設され手が掛けられる手掛６２が形成されている。また、他方戸２０はガラス戸になっており、窓枠６３に透明ガラス６４が嵌合して設けられている。
【００４４】
また、一方戸１０と他方戸２０とのいずれか一方を開く際若しくは閉める際、いずれか他方を同動させる連係機構３０が設けられている。連係機構３０は、一方戸１０及び他方戸２０が開いている状態で、一方戸１０を閉めるときこの一方戸１０が他方戸２０に連係して、他方戸２０を同動させて閉めるようにするとともに、一方戸１０及び他方戸２０が閉まっている状態（図１２）で、一方戸１０を開くとき他方戸２０との連係を解除して、一方戸１０のみ開く（図１３）ようにするものである。具体的には、連係機構３０は、他方戸２０の開方向後端部（閉方向前端部）２０ａから突設され一方戸１０の開方向後端部（閉方向前端部）１０ａに当接する突出片３１を備えて構成されている。連係機構３０を突出片３１で構成しているので、加工が容易になり製造コストが低減される。
【００４５】
また、他方の引戸Ｄ（Ｂ）は、一枚で構成され、ガラス戸になっており、窓枠６０に曇りガラス６１が嵌合して設けられているとともに、上記の一方の引戸の他方戸２０と左右対称に形成されている。即ち、他方の引戸Ｄ（Ｂ）の開方向後端部（閉方向前端部）Ｄａからは、一方戸１０の開方向前端部（閉方向後端部）１０ｂに当接する突出片３１が設けられている。
【００４６】
従って、この第三の実施の形態に係る引戸構造によれば、引戸Ｄ（Ａ）を開閉して、例えば、一方戸１０側から他方戸２０側へ出入りするときは、先ず、図１３に示すように、曇りガラス６１のガラス戸で構成される一方戸１０を開ける。これにより、透明ガラス６４のガラス戸で構成される他方戸２０が現れるので、面白みが創出される。次に、他方戸２０を開ける。
【００４７】
尚、一方戸１０側から他方戸２０側へ出入りするときにおいて、一方戸１０が閉まった状態で手掛６２により他方戸２０を開ければ、他方戸２０の開方向後端部（閉方向前端部）２０ａからは、一方戸１０の開方向後端部（閉方向前端部）１０ａに当接する突出片３１が設けられているので、一方戸１０を同動して開けることができる。
一方、他方戸２０側から一方戸１０側へ出入りするときは、透明ガラス６４のガラス戸で構成される他方戸２０を開ける。この場合、一方戸１０が閉まった状態であれば、他方戸２０を開ければ、他方戸２０の開方向後端部（閉方向前端部）２０ａからは、一方戸１０の開方向後端部（閉方向前端部）１０ａに当接する突出片３１が設けられているので、一方戸１０を同動して開けることができる。
【００４８】
また、他方の引戸Ｄ（Ｂ）においても、開閉することができる。この場合、一方戸１０が上記の開いた状態で他方の引戸Ｄ（Ｂ）を開ければ、他方の引戸Ｄ（Ｂ）の開方向後端部（閉方向前端部）Ｄａからは、一方戸１０の開方向前端部（閉方向後端部）１０ｂに当接する突出片３１が設けられているので、一方戸１０を同動させることになる。
【００４９】
また、図１２に示すように、一方戸１０及び他方戸２０が閉められた状態においては、一方戸１０及び他方戸２０により開口は二重に遮断されるので、遮断機能が向上させられる。更に、一方戸１０及び他方戸２０が閉められた状態においては、一方戸１０により他方戸２０が密着して覆い隠されるので、あたかも一重の戸のように見え、この点でも、面白みが創出される。
尚、図１３に示すように、他方戸２０のみを閉めた状態にしておいても良い。この場合、他方戸２０は透明ガラス戸なので、内から外を透かしてみることができる。
【００５０】
尚、上記実施の形態において、一方戸１０や他方戸２０の材質は、必ずしも上記に限定されるものではなく、どのような材質にしても良く適宜変更して差支えない。また、上記実施の形態では、引戸Ｄは一対備えられているが、必ずしもこれに限定されるものではなく、１個でも良く、また、３個以上あっても差支えない。
更に、連係機構３０の突出片３１の構成は上述したものに限らず、図１及び図２に示す態様から適宜選択してよいことは勿論である。この場合、一方戸１０と他方戸２０との関係を逆転さて、一方戸１０を他方戸２０とし、他方戸２０を一方戸１０として観念してよいことは勿論である。また、連係機構３０は突出片３１に限定されない。
尚また、上記各実施の形態において、引戸構造は、墓や住宅用の引戸に適用したものを示したが、必ずしもこれに限定されることはなく、どのような引戸に適用しても良い。
【図面の簡単な説明】
【００５１】
【図１】本発明の引戸構造が適用される引戸の一例において連係機構の態様を示す図である。
【図２】本発明の引戸構造が適用される引戸の別の例において連係機構の態様を示す図である。
【図３】本発明の第一の実施の形態に係る引戸構造をこれが適用される墓の一例において示す正面図である。
【図４】本発明の第一の実施の形態に係る引戸構造を示し、（ａ）は一方戸及び他方戸を閉めた状態で示す斜視図、（ｂ）は引戸の平面図である。
【図５】本発明の第一の実施の形態に係る引戸構造を、他方戸を閉じて一方戸のみを開いた状態で示す斜視図である。
【図６】本発明の第一の実施の形態に係る引戸構造を、一方戸及び他方戸を開いた状態で示す斜視図である。
【図７】本発明の第一の実施の形態に係る引戸構造において、敷居及び鴨居の変形例を示す斜視図である。
【図８】本発明の第二の実施の形態に係る引戸構造を示す斜視図である。
【図９】本発明の第二の実施の形態に係る引戸構造を示す断面図である。
【図１０】本発明の第三の実施の形態に係る引戸構造を示し、（ａ）は一方戸及び他方戸を閉めた状態で示す斜視図、（ｂ）は引戸の平面図である。
【図１１】本発明の第三の実施の形態に係る引戸構造を、他方戸を閉じて一方戸のみを開いた状態で示す斜視図である。
【図１２】本発明の第四の実施の形態に係る引戸構造を示し、（ａ）は一方戸及び他方戸を閉めた状態で示す斜視図、（ｂ）は引戸の平面図である。
【図１３】本発明の第四の実施の形態に係る引戸構造を、他方戸を閉じて一方戸のみを開いた状態で示す斜視図である。
【図１４】従来の墓の引戸構造の一例を示す正面図である。
【符号の説明】
【００５２】
１  墓本体
４  開口
Ｓ  収納空間
５  収納庫
６  底板
７  支柱
８  天板
Ｄ  引戸
Ｒａ  開方向
Ｒｂ  閉方向
１０  一方戸
１０ａ  開方向後端部（閉方向前端部）
１０ｂ  閉方向後端部（開方向前端部）
１１  手掛
１２  模様
１３  突出部
２０  他方戸
２０ａ  開方向後端部（閉方向前端部）
２０ｂ  閉方向後端部（開方向前端部）
２１  窓部
２２  貫通孔
２３  敷居
２４  鴨居
３０  連係機構
３１  突出片
４０  錠装置
４１  露出部位
４２  凹所
５０  桟
５１  障子紙
５２  手掛
５３  窓枠
５４  透明ガラス
６０  窓枠
６１  曇りガラス
６２  手掛
６３  窓枠
６４  透明ガラス
【図１】
2006342630.tif 000003
【図２】
2006342630.tif 000004
【図３】
2006342630.tif 000005
【図４】
2006342630.tif 000006
【図５】
2006342630.tif 000007
【図６】
2006342630.tif 000008
【図７】
2006342630.tif 000009
【図８】
2006342630.tif 000010
【図９】
2006342630.tif 000011
【図１０】
2006342630.tif 000012
【図１１】
2006342630.tif 000013
【図１２】
2006342630.tif 000014
【図１３】
2006342630.tif 000015
【図１４】
2006342630.tif 000016